(57)【要約】【課題】  アンカー押しピンをボードに差し込んだ後、押しピン本体を回転させることによりより糸が糸通孔付近に巻き付き、アンカーとなると共に、アンカー押しピン取付方法によって、アンカー力を調整できると共に、引き抜きも可能なアンカー押しピンを提供する。【解決手段】  押しピン本体に突設したピンシャフトに、糸を通す糸通孔を設けると共に、該糸通孔に糸を通して保持してなることを特徴とするアンカー押しピン。【選択図】図１
2009257059.tif 000002
【特許請求の範囲】
【請求項１】
押しピン本体に突設したピンシャフトに、糸を通す糸通孔を設けると共に、該糸通孔に糸を通して保持してなることを特徴とするアンカー押しピン。
【請求項２】
糸が、木綿糸であることを特徴とする請求項１記載のアンカー押しピン。
【請求項３】
押しピン本体に、フック部を設けてなることを特徴とする請求項１又は２記載のアンカー押しピン。
【請求項４】
ピンシャフトをボードに刺し、貫通させた後、ピンシャフトを少し手前に引き、糸を弛ませ、押しピン本体を回転させることにより糸通孔付近に糸が巻き付き、つぎに、ピンシャフトを奥に押し込み、再度少しピンシャフトを手前に引き、糸を弛ませ、押しピン本体を回転させることにより、糸通孔付近にさらに多くの糸を巻き付けることを特徴とするアンカー押しピン取付方法。
【発明の詳細な説明】
【技術分野】
【０００１】  本発明は、主に住宅や事務所などの内装壁や天井のボードに差し込み、アンカー効果を有するアンカー押しピン及びアンカー押ピン取付方法に関するものである。
【背景技術】
【０００２】  従来の技術としては、本発明者が以前出願した押しピンのピンシャフトにアンカーを設けてなることを特徴とするアンカー付押ピンがある。（特許文献１参照）【０００３】  他の従来技術として、壁面にあけられた穴にキャップ部と分割部材とから成る先端部側を壁の裏側に突出させ、アゴ部とフック部からなる手元側にキャップ部を引き戻して、壁の裏側にある拡開した分割部材とアゴ部とで壁を挟みこむことにより壁面に固定することを特徴としたボードアンカーがある。（特許文献２参照）
【特許文献１】特開２００４−６８５５８号公報
【特許文献２】特開２００３−３２８４４９号公報
【発明の開示】
【発明が解決しようとする課題】
【０００４】  上記前者のものは、比較的アンカー効果の低い場合に有効に使用できるように開発したもので、今回の発明は、アンカー効果を必要に応じて低くも高くもでき、引き抜くとき、ボードの孔を破損することなく使用できるもので、機能アップしてなるものである。
また、上記後者のものは、アンカー効果のみを目的とし、引き抜き、再度利用できる形態のものではない。【０００５】  本発明は、このような従来の構成が有していた問題を解決するもので、アンカー押しピンをボードに差し込んだ後、押しピン本体を回転させることによりより糸が糸通孔付近に巻き付き、アンカーとなると共に、アンカー押しピン取付方法によって、アンカー力を調整できると共に、引き抜きも可能なアンカー押しピンを提供することを目的とする。
【課題を解決するための手段】
【０００６】  本発明は、上記目的を達成するために、押しピン本体に突設したピンシャフトに、糸を通す糸通孔を設けると共に、該糸通孔に糸を通して保持してなる。
糸が、木綿糸である。
押しピン本体に、フック部を設けてなる。
ピンシャフトをボードに刺し、貫通させた後、ピンシャフトを少し手前に引き、糸を弛ませ、押しピン本体を回転させることにより糸通孔付近に糸が巻き付き、つぎに、ピンシャフトを奥に押し込み、再度少しピンシャフトを手前に引き、糸を弛ませ、押しピン本体を回転させることにより、糸通孔付近にさらに多くの糸を巻き付けることができる。
【発明の効果】
【０００７】  まず、アンカー押しピンにおいては、
１）、押しピン本体に突設したピンシャフトに、糸を通す糸通孔を設け、該糸通孔に糸を通して保持することにより、ボードへ差し込み、押しピン本体を回転させることにより、所要のアンカー効果を得ることができる。
２）、特に、糸を木綿糸とすることにより、強固に糸通孔付近に巻き付くことができ、よりアンカー効果を高める。
３）、押しピン本体にフック部を設けることにより、特に天井のボードに差し込んで物品を吊り下げることができる。
つぎに、アンカー押しピン取付方法においては、
１）、ピンシャフトをボードに刺し、貫通させた後、ピンシャフトを少し手前に引き、糸を弛ませ、押しピン本体を回転させることにより糸通孔付近に緩んだ糸が巻き付き、つぎに、ピンシャフトを奥に押し込み、再度少しピンシャフトを手前に引き、押しピン本体を回転させることにより、糸通孔付近にさらに多くの緩んだ糸を巻き付けることができるもので、誰でも簡単に巻き付けられ、必要なアンカー効果を得るための巻き付け量を自由に設定できる。
２）、押しピン本体を反対に回転させることにより、糸をほどき、アンカー押しピンを引き抜き、再度使用できるものである。
【発明を実施するための最良の形態】
【０００８】  アンカー押しピン１は、撮み部２ａを設けてなる円柱状の押しピン本体２に突設したピンシャフト３に、糸を通す糸通孔３ａを設けると共に、該糸通孔３ａに端部を結んでなる輪状の糸４を設けてなるものである。【０００９】  次に、他のアンカー押しピンの実施例を説明する。
アンカー押しピン２１は、上記と同様な糸２４を通す糸通孔２３ａを設けてなるピンシャフト２３を、回動するフック部２２ａを設けてなる押しピン本体２２に突設してなるものである。【００１０】  上記アンカー押しピン１を使用し、アンカー押しピン取付方法について説明する。
１）、住宅等の壁のボードＢ（石こうボード等）の所要位置にアンカー押しピン１を持っていく。（図５参照）
２）、アンカー押しピン１を押しピン本体２（撮み部２ａ）を撮んで、ピンシャフト３をボードＢに対して差し込み貫通させる。（図６参照）
３）、アンカー押しピン１の撮み部２ａを撮み、少し手前に引くことにより、ピンシャフト３の糸通孔３ａに設けた糸４が緩みＹ（弛ませる）、例えば時計方向に２〜３回転させ糸通孔３ａ付近に糸４を巻き付ける。（図７参照）
４）、再度、巻き玉Ｍができたアンカー押しピン１を押し込み、糸４を奥に押し出す。（図８参照）
５）、再度、アンカー押しピン１の撮み部を撮み、少し手前に引くことにより、巻き玉Ｍ１の手前の糸４が緩みＹ１（弛ませる）、再度時計方向に２〜３回転させ、さらに大きな巻き玉を作る。（図９参照）、
６）、上記手順を繰り返し、硬い大きな巻き玉Ｍ２ができた時点で、アンカー押しピン１の取り付けを完了する。（図１０参照）【００１１】  なお、アンカー押しピン１を取り外すときは、撮み部２ａを撮み、時計方向とは反対に回転させて巻き玉Ｍ３を、糸４を引っ張りながら戻すことによりアンカー押しピン１を引き抜き、再度使用できるものである。（図１１参照）【００１２】  上記アンカー押しピンにおいて、ピンシャフトの径や長さは必要に応じて決めればよい。
また、押しピン本体の材質や形状、糸の材質（木綿糸以外）等も、同様な機能を有するものであれば特に限定しない。
また、上記アンカー押しピン取付方法においては、巻き玉の大きさや固さ等も必要に応じて決めればよい。
さらに、アンカー押しピン２１においては、壁にも天井にも取り付けることができ、フック部２２ａにいろいろなものを吊り下げることができるものである。
【図面の簡単な説明】
【００１３】
【図１】本発明の第１実施例を示すアンカー押しピンの正面図。
【図２】本発明の第１実施例を示すアンカー押しピンの右側面図。
【図３】本発明の第２実施例を示すアンカー押しピンの正面図。
【図４】本発明の第２実施例を示すアンカー押しピンの右側面図。
【図５】本発明の一実施例を示すアンカー押しピン取付方法の第１取付図。
【図６】本発明の一実施例を示すアンカー押しピン取付方法の第２取付図。
【図７】本発明の一実施例を示すアンカー押しピン取付方法の第３取付図。
【図８】本発明の一実施例を示すアンカー押しピン取付方法の第４取付図。
【図９】本発明の一実施例を示すアンカー押しピン取付方法の第５取付図。
【図１０】本発明の一実施例を示すアンカー押しピン取付方法の第６取付図。
【図１１】本発明の一実施例を示すアンカー押しピン取付方法の取り外し状態図。
【符号の説明】
【００１４】１――――アンカー押しピン
２――――押しピン本体
２ａ―――撮み部
３――――ピンシャフト
３ａ―――糸通孔
４――――輪状の糸
２２ａ――フック部
Ｂ――――ボード
Ｙ――――緩み
Ｍ――――巻き玉
【図１】
2009257059.tif 000003
【図２】
2009257059.tif 000004
【図３】
2009257059.tif 000005
【図４】
2009257059.tif 000006
【図５】
2009257059.tif 000007
【図６】
2009257059.tif 000008
【図７】
2009257059.tif 000009
【図８】
2009257059.tif 000010
【図９】
2009257059.tif 000011
【図１０】
2009257059.tif 000012
【図１１】
2009257059.tif 000013